(57)【要約】  複数の空調ユニットにより空気調和される空間を照らす複数の発光ユニットを制御することが可能な空調発光システムを提供する。複数の室内ユニット（３）と複数の発光ユニット（９）を備える空調発光システム（１００）であって、室内ユニット（３）同士を接続する室内通信線（７７）と、各室内ユニット（３）と各発光ユニット（９）を接続する光源用電気配線（７８ａ〜ｉ）と、室内通信線（７７）および光源用電気配線（７８ａ〜ｉ）を用いて複数の発光ユニット（９）を制御する制御部（７０）と、を備えている。
2019151047.tif 000002
【特許請求の範囲】
【請求項１】
複数の空調ユニット（３）と複数の発光ユニット（９）を備える空調発光システム（１００）であって、
前記空調ユニット同士を通信可能に接続する第１通信手段（７７）と、
各前記空調ユニットと各前記発光ユニットを通信可能に接続する第２通信手段（７９ａ〜ｉ）と、
前記第１通信手段および前記第２通信手段を用いて前記複数の発光ユニットを制御する制御部（７３、７０、６０ａ、１６０ａ）と、
を備えた空調発光システム（１００）。
【請求項２】
前記発光ユニットは、前記第２通信手段を介して通信可能に接続されている前記空調ユニットから電源供給を受ける、
請求項１に記載の空調発光システム。
【請求項３】
複数の前記発光ユニットは、自身の発光制御及び自身以外の前記発光ユニットである子発光ユニットの発光制御を行う親発光ユニットを有している、
請求項１または２に記載の空調発光システム。
【請求項４】
前記親発光ユニットは、自身が前記第２通信手段を介して通信可能に接続されている前記空調ユニットを介して、前記子発光ユニットの発光制御を行い、
前記第２通信手段は、無線通信手段である、
請求項３に記載の空調発光システム。
【請求項５】
前記親発光ユニットと前記子発光ユニットとを無線により通信可能に接続する第３通信手段をさらに備え、
前記親発光ユニットは、前記第３通信手段を介して、前記子発光ユニットの発光制御を行う、
請求項３に記載の空調発光システム。
【請求項６】
複数の前記発光ユニットが互いに連動して発光可能である、
請求項１から５のいずれか１項に記載の空調発光システム。
【発明の詳細な説明】
【技術分野】
【０００１】
本開示は、空調発光システムに関する。
【背景技術】
【０００２】
従来より、対象空間を照らすための照明機器を天井等に対して複数設置し、対象空間の明るさの調整等が行われている。例えば、特許文献１（特開２０１２−２８０１５号）に記載されている照明システムでは、天井に設置された複数の照明機器を互いにネットワーク接続させて制御することが提案されている。
【発明の概要】
【発明が解決しようとする課題】
【０００３】
これに対して、例えば、空間は、照明機器によって照らされるだけでなく、空調ユニットを用いて空気調和されることが望まれる場合がある。【０００４】
本開示は、上述した点に鑑みてなされたものであり、本開示における課題は、複数の空調ユニットにより空気調和される空間を照らす複数の発光ユニットを制御することが可能な空調発光システムを提供することにある。
【課題を解決するための手段】
【０００５】
第１観点に係る空調発光システムは、複数の空調ユニットと複数の発光ユニットを備える空調発光システムであって、第１通信手段と、第２通信手段と、制御部と、を備えている。第１通信手段は、空調ユニット同士を通信可能に接続する。第２通信手段は、各空調ユニットと各発光ユニットを通信可能に接続する。制御部は、第１通信手段および第２通信手段を用いて複数の発光ユニットを制御する。【０００６】
なお、第１通信手段は、空調ユニット同士を１対１に通信可能に接続してもよいし、１対多数で通信可能に接続してもよい。第１通信手段は、有線である通信線を介した通信手段であってもよいし、無線による通信手段であってもよい。第２通信手段は、空調ユニットと発光ユニットを１対１に通信可能に接続してもよいし、１対多数または多数対１で通信可能に接続してもよい。第２通信手段は、有線である通信線を介した通信手段であってもよいし、無線による通信手段であってもよい。第２通信手段は、複数存在している。【０００７】
なお、各発光ユニット同士は、通信手段を介して通信可能に接続されていてもよいし、通信可能に接続されていなくてもよく、各発光ユニット同士が直接有線である通信線を介して接続されていないことが好ましい。【０００８】
この空調発光システムでは、互いに第１通信手段を介して通信可能に接続された複数の空調ユニットのそれぞれに対して、第２通信手段を介して各発光ユニットが通信可能に接続されている。このため、複数の空調ユニット同士を通信可能に接続する第１通信手段を利用して、複数の発光ユニットとの通信が可能になる。これにより、複数の空調ユニットにより空気調和される空間を照らす複数の発光ユニットを制御することが可能になる。【０００９】
なお、例えば、複数の発光ユニット同士が直接通信可能に接続されていない場合であっても、複数の空調ユニット同士を通信可能に接続する第１通信手段を用いて複数の発光ユニットとの通信が可能になるため、複数の発光ユニットを制御することが可能である。【００１０】
第２観点に係る空調発光システムは、第１観点に係る空調発光システムであって、発光ユニットは、空調ユニットから電源供給を受ける。発光ユニットが電源供給を受ける空調ユニットは、第２通信手段を介して発光ユニットと通信可能に接続されている空調ユニットである。【００１１】
この空調発光システムでは、発光ユニットは、自身が第２接続手段を介して通信可能に接続された空調ユニットから電源供給を受ける。このため、空調ユニットまで供給されている電源を流用することが可能になる。【００１２】
なお、この空調発光システムによれば、例えば、発光ユニットを空調ユニット以外の電気供給源に対して接続する必要を無くすることも可能になる。【００１３】
第３観点に係る空調発光システムは、第１観点または第２観点に係る空調発光システムであって、複数の発光ユニットは、子発光ユニットと親発光ユニットを含んでいる。親発光ユニットは、自身の発光制御及び自身以外の発光ユニットである子発光ユニットの発光制御を行う。【００１４】
なお、複数の発光ユニットのうちの１つが、自身の発光制御及び自身以外の発光ユニットである子発光ユニットの発光制御を行う親発光ユニットであることが好ましい。【００１５】
この空調発光システムでは、親発光ユニットによって他の発光ユニットである子発光ユニットの発光制御も行うことが可能になる。【００１６】
第４観点に係る空調発光システムは、第３観点に係る空調発光システムであって、第２通信手段は、無線通信手段である。親発光ユニットは、自身が第２通信手段を介して通信可能に接続されている空調ユニットを介して、子発光ユニットの発光制御を行う。【００１７】
この空調発光システムでは、親発光ユニットが主体となって、空調ユニットの第１通信手段を用いて、子発光ユニットの発光制御を行うことが可能になる。【００１８】
第５観点に係る空調発光システムは、第３に係る空調発光システムであって、第３通信手段をさらに備えている。第３通信手段は、親発光ユニットと子発光ユニットとを無線により通信可能に接続する。親発光ユニットは、第３通信手段を介して、子発光ユニットの発光制御を行う。【００１９】
この空調発光システムでは、親発光ユニットが主体となって、子発光ユニットの発光制御を直接的に行うことが可能になる。【００２０】
第６観点に係る空調発光システムは、第１観点から第５観点のいずれか係る空調発光システムであって、複数の発光ユニットが互いに連動して発光可能である。【００２１】
この空調発光システムでは、複数の発光ユニットを連動して発光させることが可能である。
【図面の簡単な説明】
【００２２】
【図１】空調発光システムの概略構成図である。
【図２】室内ユニットの概略外観斜視図である。
【図３】室内ユニットの平面視概略構成図である。
【図４】室内ユニットの図３のＡ−Ａ断面における側面視概略構成図である。
【図５】発光ユニットの概略分解斜視図である。
【図６】空調発光システムの概略制御ブロック構成図である。
【図７】ＬＥＤおよびブザーの制御フローチャートである。
【図８】複数の発光ユニットの連動制御の制御フローチャートである。
【図９】複数の室内ユニットと複数の発光ユニットの位置関係の例を示す説明図である。
【図１０】変形例（Ａ）に係る空調発光システムの概略制御ブロック構成図である。
【発明を実施するための形態】
【００２３】
（１）空調発光システム
図１に、空調発光システム１００の概略構成図を示す。
【００２４】
空調発光システム１００は、対象空間の空調を行う空気調和装置１と、空気調和装置１が空調を行う対象空間を照らす複数の発光ユニット９と、を備えている。
【００２５】
（２）空気調和装置
空気調和装置１は、蒸気圧縮式の冷凍サイクルを行うことによって、建物等の室内の冷房および暖房を行うことが可能な装置である。
【００２６】
空気調和装置１は、主として、室外ユニット２と、複数の室内ユニット３と、室外ユニット２と複数の室内ユニット３とを接続する冷媒経路である液冷媒連絡管４およびガス冷媒連絡管５と、を有している。そして、空気調和装置１の蒸気圧縮式の冷媒回路６は、室外ユニット２に対して、複数の室内ユニット３が、冷媒連絡管４、５を介して並列に接続されることによって構成されている。冷媒連絡管４、５は、空気調和装置１を建物等の設置場所に設置する際に、現地にて施工される冷媒管である。特に限定されないが、本実施形態では、当該冷媒回路６に作動冷媒としてＲ３２が充填されている。
【００２７】
（３）室外ユニット
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、室外制御部７２と、を有している。
【００２８】
アキュムレータ７は、ガス冷媒を圧縮機に供給するための容器であり、圧縮機８の吸入側に設けられている。
【００２９】
圧縮機８は、低圧のガス冷媒を吸入し、圧縮して高圧のガス冷媒を吐出する。
【００３０】
室外熱交換器１１は、冷房運転時には圧縮機８から吐出された冷媒の放熱器として機能し、暖房運転時には室内熱交換器５１から送られてくる冷媒の蒸発器として機能する熱交換器である。室外熱交換器１１は、その液側が室外膨張弁１２に接続されており、ガス側が四路切換弁１０に接続されている。
【００３１】
室外膨張弁１２は、冷房運転時には室外熱交換器１１において放熱された冷媒を室内熱交換器５１に送る前に減圧し、暖房運転時には室内熱交換器５１において放熱された冷媒を室外熱交換器１１に送る前に減圧することが可能な電動膨張弁である。
【００３２】
室外ユニット２の液側閉鎖弁１３には、液冷媒連絡管４の一端が接続されている。室外ユニット２のガス側閉鎖弁１４には、ガス冷媒連絡管５の一端が接続されている。
【００３３】
室外ユニット２の各機器および弁間は、冷媒管１６〜２２によって接続されている。
【００３４】
四路切換弁１０は、圧縮機８の吐出側が室外熱交換器１１側に接続されるとともに圧縮機８の吸入側がガス側閉鎖弁１４側に接続される状態（図１における四路切換弁１０の実線を参照）と、圧縮機８の吐出側がガス側閉鎖弁１４側に接続されるとともに圧縮機８の吸入側が室外熱交換器１１側に接続される状態（図１における四路切換弁１０の破線を参照）と、を切り換えることにより、後述する冷房運転の接続状態と暖房運転の接続状態とを切り換える。
【００３５】
室外ファン１５は、室外ユニット２の内部に配置され、室外空気を吸入して、室外熱交換器１１に室外空気を供給した後に、ユニット外に排出する空気流れを形成する。このように、室外ファン１５によって供給される室外空気は、室外熱交換器１１の冷媒との熱交換における冷却源又は加熱源として用いられる。
【００３６】
室外制御部７２は、室外ユニット２内に設けられており、後述する室内制御部７３と通信可能に接続されることで制御部７０の一部を構成しており、ＣＰＵ、ＲＯＭ、ＲＡＭ等を有している。室外制御部７２は、圧縮機８の駆動周波数と、四路切換弁１０の接続状態と、室外膨張弁１２の弁開度と、室外ファン１５の風量を制御する。
【００３７】
（４）室内ユニット
図２に、室内ユニット３の外観斜視図を示す。図３に、室内ユニット３の天板を取り除いた状態を示す概略平面図を示す。図４に、図３中にＡ−Ａで示す切断面における室内ユニット３の概略側面断面図を示す。
【００３８】
空調ユニットである室内ユニット３は、本実施形態では、例えば、空調対象空間である室内等の天井に設けられた開口に埋め込まれることで設置されるタイプの室内機である。複数の室内ユニット３は、天井に対して、所定の間隔をあけて配置されている。各室内ユニット３は、いずれも天井裏の空間を介して図示しない電力供給源と接続されることで、電力の供給を受けている。なお、空気調和装置１が備える複数の室内ユニット３は、いずれも同じ構成であるため、以下では、室内ユニット３の１つを挙げて説明する。
【００３９】
室内ユニット３は、主として、室内熱交換器５１と、室内ファン５２と、室内ケーシング３０と、フラップ３９と、ベルマウス３３と、ドレンパン３２と、室内制御部７３と、を有している。
【００４０】
室内熱交換器５１は、冷房運転時には室外熱交換器１１から送られてくる冷媒の蒸発器として機能し、暖房運転時には圧縮機８から吐出された冷媒の放熱器として機能する熱交換器である。室内熱交換器５１は、その液側が液冷媒連絡管４の室内側端部に接続されており、ガス側がガス冷媒連絡管５の室内側端部に接続されている。
【００４１】
室内ファン５２は、室内ユニット３のケーシング本体３１の内部に配置された遠心送風機である。室内ファン５２は、室内の空気を後述する化粧パネル３５の吸込口３６を通じて室内ケーシング３０内に吸入し、室内熱交換器５１を通過させた後、化粧パネル３５の吹出口３７を通じて室内ケーシング３０外へ吹き出す空気流れを形成する。このように、室内ファン５２によって供給される室内空気は、室内熱交換器５１の冷媒と熱交換することにより温度が調節される。
【００４２】
室内ケーシング３０は、ケーシング本体３１と、化粧パネル３５と、を主として有している。
【００４３】
ケーシング本体３１は、空調対象空間である室内の天井Ｕに形成された開口に挿入されるようにして配置されており、その平面視において、長辺と短辺とが交互に形成された略８角形状の箱状体であり、下面が開口している。このケーシング本体３１は、天板および天板の周縁部から下方に延びる複数の側板を有している。なお、ケーシング本体３１の平面視における４角の短辺には、天井に対して室内ユニット３を固定するための図示しないボルトがそれぞれ固定されている。なお、各４角におけるボルトに対する固定位置の高さを調節することで、室内ユニット３の化粧パネル３５の上面と天井の下面との隙間を無くすることが可能になる。
【００４４】
化粧パネル３５は、天井Ｕの開口に嵌め込まれるようにして配置されており、ケーシング本体３１の天板および側板よりも平面視における外側にまで広がっており、ケーシング本体３１の下方に室内側から取り付けられる。化粧パネル３５は、内枠３５ａと外枠３５ｂを有している。内枠３５ａの内側には、下方に向けて開口した略四角形状の吸込口３６が形成されている。吸込口３６の上方には、吸込口３６から吸入された空気中の塵埃を除去するためのフィルタ３４が設けられている。外枠３５ｂの内側であって内枠３５ａの外側には、下方から斜め下方に向けて開口した吹出口３７と角部吹出口３８が形成されている。吹出口３７は、化粧パネル３５の平面視における略四角形状の各辺に対応する位置に設けられた、第１吹出口３７ａと、第２吹出口３７ｂと、第３吹出口３７ｃと、第４吹出口３７ｄと、を有している。角部吹出口３８は、化粧パネル３５の平面視における略四角形状の４角に対応する位置に設けられた、第１角部吹出口３８ａと、第２角部吹出口３８ｂと、第３角部吹出口３８ｃと、第４角部吹出口３８ｄと、を有している。外枠３５ｂは、平面視において略四角形状の内縁および外縁を有しており、各角部にそれぞれ対応するように、第１コーナーパネル４１と、第２コーナーパネル４２と、第３コーナーパネル４３と、第４コーナーパネル４４と、を有している。平面視において、第１コーナーパネル４１は第１角部吹出口３８ａの外側に、第２コーナーパネル４２は第２角部吹出口３８ｂの外側に、第３コーナーパネル４３は第３角部吹出口３８ｃの外側に、第４コーナーパネル４４は第４角部吹出口３８ｄの外側に、それぞれ設けられている。第１〜第４コーナーパネル４１〜４４における各コーナーパネル本体の形状はいずれも同一であるため、各コーナーパネル４１〜４４は適宜、設置場所を替えることができる。なお、第１〜４コーナーパネル４１〜４４の上方の空間には、それぞれ室内ユニット３を天井に対して固定するためのボルトが位置している。
【００４５】
フラップ３９は、吹出口３７を通過する空気流れの方向を変更可能な部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄと、を有している。各フラップ３９ａ〜ｄは、室内ケーシング３０の所定の位置において回動可能に軸支されている。
【００４６】
ドレンパン３２は、室内熱交換器５１の下側に配置され、室内熱交換器５１において空気中の水分が凝縮して生じるドレン水を受けとる。このドレンパン３２は、ケーシング本体３１の下部に装着されている。ドレンパン３２には、平面視において、室内熱交換器５１の内側において上下方向に伸びた円筒形状の空間が形成されており、当該空間の内側下方にベルマウス３３が配置されている。ベルマウス３３は、吸込口３６から吸入される空気を室内ファン５２に案内する。また、ドレンパン３２には、平面視において、室内熱交換器５１の外側において上下方向に伸びた複数の吹出流路４７ａ〜ｄ、角部吹出流路４８ａ〜ｃが形成されている。吹出流路４７ａ〜ｄは、下端において第１吹出口３７ａと連通する第１吹出流路４７ａと、下端において第２吹出口３７ｂと連通する第２吹出流路４７ｂと、下端において第３吹出口３７ｃと連通する第３吹出流路４７ｃと、下端において第４吹出口３７ｄと連通する第４吹出流路４７ｄと、を有している。角部吹出流路４８ａ〜ｃは、下端において第１角部吹出口３８ａと連通する第１角部吹出流路４８ａと、下端において第２角部吹出口３８ｂと連通する第２角部吹出流路４８ｂと、下端において第３角部吹出口３８ｃと連通する第３角部吹出流路４８ｃと、を有している。
【００４７】
室内制御部７３は、室外制御部７２と、後述する集合ユニット６０の光源基板６０ａとリモコン７４のリモコン基板７４ａと通信可能に接続されることで構成される制御部７０の一部を構成しており、ＣＰＵ、ＲＯＭ、ＲＡＭ等を有している。室内制御部７３は、室内ファン５２の風量を制御する。また、室内制御部７３は、後述する人検知センサ６４の検知情報を把握する。
【００４８】
（５）発光ユニット
複数の発光ユニット９は、本実施形態では、それぞれ、空気調和装置１の各室内ユニット３に対応するようにして設けられている。具体的には、発光ユニット９と室内ユニット３とは、本実施形態では、１対１に電気的に接続されている。これにより、複数の発光ユニット９についても、室内ユニット３と同様に、天井において、所定の間隔をあけて配置される。なお、複数の発光ユニット９は、いずれも同じ構成であるため、以下では、発光ユニット９の１つを挙げて説明する。
【００４９】
図５に、発光ユニット９の概略分解斜視図を示す。
【００５０】
発光ユニット９は、室内等の対象空間の天井に対して固定して用いられるものであり、集合ユニット６０、人検知センサ６４、ユニットケーシング９０、光源用電気配線７８、人検知用電気配線７９等を備えている。
【００５１】
（５−１）集合ユニット
集合ユニット６０は、対象空間の照度を検知して光および／または音を発するための複数の電子部品によって構成されたユニットであり、光源基板６０ａと、光源基板６０ａに実装されたＬＥＤ６１、照度センサ６２およびブザー６３を備えている。集合ユニット６０は、ユニットケーシング９０内部に収容される。
【００５２】
光源基板６０ａは、室内ユニット３のケーシング本体３１の内側に位置している室内制御部７３と光源用電気配線７８を介して接続された制御基板であり、ＣＰＵ、ＲＯＭ、ＲＡＭ等を有して構成されている。光源用電気配線７８は、有線である電源供給線および通信線を含んでいる。具体的には、光源基板６０ａは、光源用電気配線７８のうちの電源供給線を介して室内制御部７３から電源供給を受けつつ、光源用電気配線７８のうちの通信線を介して室内制御部７３との間で通信が可能となっている。このＬＥＤ６１と照度センサ６２とブザー６３が実装された光源基板６０ａは、後述するユニットケーシング９０の内部に収容されている。なお、ＬＥＤ６１と照度センサ６２とブザー６３とは、いずれも同じ光源基板６０ａに実装されることで、基板を１つにまとめて、コンパクト化を図ることができている。
【００５３】
ＬＥＤ６１は、光源基板６０ａの下面に実装されており、室内ユニット３が空調対象とする領域を照らすＬｉｇｈｔ Ｅｍｉｔｔｉｎｇ Ｄｉｏｄｅである。具体的には、ＬＥＤ６１は、下方に向けて発した光が、後述するユニットケーシング９０の発光用開口８５とカバーレンズ９０ａを透過して、特定の領域を照らすように設置されている。各発光ユニット９が備えるＬＥＤ６１は、それぞれの対応する領域を照らすこととなる。
【００５４】
照度センサ６２は、光源基板６０ａの下面に実装されており、当該光源基板６０ａが電源供給を受けている室内ユニット３が主として空調対象とする特定の領域の照度を検知する。特に限定されないが、照度センサ６２は、例えば、フォトトランジスタ等によって構成される。照度センサ６２は、室内の特定の領域の明かりであって後述するユニットケーシング９０の中央開口８２を通過した明かり（光）を検知する。各発光ユニット９が備える照度センサ６２は、それぞれの対応する空間の照度を検知することとなる。
【００５５】
ブザー６３は、光源基板６０ａの下面に実装されており、室内ユニット３が空調対象とする領域に向けて音を発する。具体的には、ブザー６３は、所定の時間間隔で同じ音が繰り返し出力される警告音を発する。ブザー６３は、下方に向けて発した音が、後述するユニットケーシング９０の中央開口８２を通過して室内の特定の領域に伝えられるように設置されている。各発光ユニット９が備えるブザー６３は、それぞれの対応する領域に対して音を発することとなる。
【００５６】
（５−２）人検知センサ
人検知センサ６４は、室内ユニット３が空調対象とする特定の領域を検出対象空間として人の在不在を検知するセンサであって、特に限定されないが、例えば、赤外線カメラ等によって構成されている。なお、各発光ユニット９が備える人検知センサ６４は、それぞれの対応する検出領域における人の在不在を検知する。人検知センサ６４は、ユニットケーシング９０内部において、集合ユニット６０と同程度の高さ位置において収容される。人検知センサ６４の一部は、後述するユニットケーシング９０の下部人検知用開口８４およびレンズ部人検知用開口８１を介して対象空間側の突出するようにして設けられている。人検知センサ６４は、室内ユニット３のケーシング本体３１の内側に位置している室内制御部７３と、人検知用電気配線７９を介して接続されている。人検知用電気配線７９は、有線である電源供給線および通信線を含んでいる。具体的には、人検知センサ６４は、人検知用電気配線７９が有する電源供給線を介して室内制御部７３から電源供給を受けつつ、人検知用電気配線７９が有する通信線を介して人の検知結果を室内制御部７３に対して送信することが可能となっている。
【００５７】
（５−３）ユニットケーシング
ユニットケーシング９０は、内部に集合ユニット６０と人検知センサ６４を収容する容器であり、カバーレンズ９０ａと、下部ケーシング９０ｂと、上部ケーシング９０ｃと、を有している。集合ユニット６０と人検知センサ６４とは、発光ユニット９の設置状態において、上方（天井側）から上部ケーシング９０ｃによって、下方（対象空間側）から下部ケーシング９０ｂによって、上下から挟まれるようにして、ユニットケーシング９０内に収容される。カバーレンズ９０ａは、下部ケーシング９０ｂに対して下方から取り付けられることで、発光ユニット９の室内側の部分を構成する。
【００５８】
上部ケーシング９０ｃは、集合ユニット６０と人検知センサ６４を上方から覆いつつ、発光ユニット９を天井に対して設置するための半透明樹脂ケーシングである。上部ケーシング９０ｃは、上部ケーシング本体９３と、配線用開口９１と、第１固定用ネジ穴９５ａと、第２固定用ネジ穴９５ｂと、を有している。上部ケーシング本体９３は、天面９３ａと、上部側面９３ｂと、を有している。天面９３ａは、平面視略四角形状の板状部材であり、発光ユニット９の上端面を構成している。上部側面９３ｂは、天面９３ａの周縁部から斜め下方に向けて広がるように延びており、発光ユニット９の上方側面を構成している。配線用開口９１は、天面９３ａの背面寄りにおいて上下方向である板厚方向に貫通して形成された開口であり、光源用電気配線７８および人検知用電気配線７９が通過する開口である。第１固定用ネジ穴９５ａと第２固定用ネジ穴９５ｂは、天面９３ａのうち配線用開口９１が設けられている側とは反対側（前面寄り）において互いに離れた位置に設けられ、上下方向である板厚方向に貫通して形成された開口であり、図示しないネジが挿入されることで上部ケーシング９０ｃひいては発光ユニット９を天井等の壁面に固定するための開口である。なお、発光ユニット９が施工される天井等の壁のうち、配線用開口９１が設けられている位置に対応する箇所には、穴が開けられることで、天井裏や壁面裏に光源用電気配線７８および人検知用電気配線７９が引きまわされることになる。
【００５９】
下部ケーシング９０ｂは、集合ユニット６０と人検知センサ６４を下方から覆いつつ、これらを内部に収容するための半透明樹脂ケーシングである。下部ケーシング９０ｂは、略水平に広がった下部ケーシング本体８３と、中央開口８２と、下部人検知用開口８４と、発光用開口８５と、発光経路面８５ａと、を有している。下部ケーシング本体８３は、平面視において、上部ケーシング９０ｃの輪郭に対応した形状を有している。下部ケーシング本体８３は、主面８３ａと、下部側面８３ｂと、を有している。主面８３ａは、平面視略四角形状の板状部材であり、略水平方向に広がっている。下部側面８３ｂは、主面８３ａの周縁部から上方に向けて僅かに延びだしている。なお、詳細は省略するが、下部ケーシング９０ｂと上部ケーシング９０ｃとは、互いに嵌合可能な形状関係を有している。中央開口８２は、下部ケーシング本体８３の主面８３ａの平面視における中央近傍において上下に貫通した開口である。中央開口８２の下方には下方に向かうほど広がるように形成された筒状の中央開口用壁面８２ａが設けられている。中央開口８２は、集合ユニット６０が設置された状態で、中央開口８２の上部に照度センサ６２およびブザー６３が位置することとなる。下部人検知用開口８４は、下部ケーシング本体８３の主面８３ａの平面視において、中央開口８２とは異なる位置に設けられ、上下方向に貫通した開口である。発光用開口８５は、下部ケーシング本体８３の主面８３ａの平面視において、中央開口８２に対する下部人検知用開口８４側とは反対側に設けられ、上下方向に貫通した開口である。下部ケーシング本体８３の主面８３ａの所定位置に集合ユニット６０が収容されると、ＬＥＤ６１が発光用開口８５の上方に位置することとなり、照度センサ６２およびブザー６３が中央開口８２の上方に位置することとなる。なお、発光経路面８５ａは、発光用開口８５の下方において、下方に向かうほど広がるように形成された筒状部分である。
【００６０】
カバーレンズ９０ａは、下部ケーシング９０ｂの下面に対して固定される透明樹脂レンズである。カバーレンズ９０ａは、略水平に広がったカバーレンズ本体８０と、レンズ部人検知用開口８１と、を有している。カバーレンズ本体８０は、平面視において、下部ケーシング９０ｂの主面８３ａの下面の輪郭に対応した形状を有している。
【００６１】
（６）リモコン
図６に、空調発光システム１００の制御ブロック構成図を示す。
【００６２】
室内ユニット３が空調を行う対象空間には、リモコン７４が設けられている。
【００６３】
リモコン７４は、室外制御部７２や室内制御部７３と通信可能に接続されており、ＣＰＵ、ＲＯＭ、ＲＡＭ等を有するリモコン基板７４ａと、入力部７４ｂと、ディスプレイ７４ｃと、リモコンメモリ７４ｄと、を有している。
【００６４】
入力部７４ｂは、ユーザからの各種設定を受け付ける。
【００６５】
ディスプレイ７４ｃは、空気調和装置１の運転状態や設定温度や異常の状態等の表示出力が可能である。
【００６６】
リモコンメモリ７４ｄは、空気調和装置１が有する複数の室内ユニット３の設置位置関係を示す位置情報を格納している。当該位置情報は、入力部７４ｂを介して入力することができる。
【００６７】
（７）制御部
空気調和装置１は、室外制御部７２と、リモコン基板７４ａと、室内制御部７３と、光源基板６０ａと、によって構成された制御部７０を有している。
【００６８】
具体的には、室外制御部７２は、圧縮機８、四路切換弁１０、室外膨張弁１２、室外ファン１５等の制御が可能なように接続されている。室内制御部７３は、人検知センサ６４からの信号および光源基板６０ａからの各種信号を受信可能であり、室内ファン５２の制御が可能なように接続されている。光源基板６０ａは、照度センサ６２からの信号を受信可能であり、ＬＥＤ６１やブザー６３等の制御が可能なように接続されている。なお、室内ユニット３毎に設けられた各室内制御部７３は、互いに有線である室内通信線７７を介して接続されている。そして、各室内制御部７３は、対応する発光ユニット９と、光源用電気配線７８および人検知用電気配線７９を介して接続されている。リモコン基板７４ａは、入力部７４ｂからの信号を受信可能であり、ディスプレイ７４ｃに各種の表示出力が可能なように接続されている。
【００６９】
空気調和装置１の各種制御動作や情報処理は、当該制御部７０が実行する。
【００７０】
（８）空気調和装置の動作
次に、図１を用いて、空気調和装置１の動作について説明する。空気調和装置１では、圧縮機８、室外熱交換器１１、室外膨張弁１２、室内熱交換器５１の順に冷媒を流す冷房運転と、圧縮機８、室内熱交換器５１、室外膨張弁１２、室外熱交換器１１の順に冷媒を流す暖房運転と、が行われる。
【００７１】
（８−１）冷房運転
冷房運転時には、室外熱交換器１１が冷媒の放熱器となり室内熱交換器５１が冷媒の蒸発器となるように、四路切換弁１０の接続状態が切り換えられる（図１の実線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。この高圧の液冷媒は、室外膨張弁１２を通過する際に冷凍サイクルにおける低圧になるまで減圧され、気液二相状態の冷媒となって、液側閉鎖弁１３および液冷媒連絡管４を通じて、各室内ユニット３に送られる。
【００７２】
低圧の気液二相状態の冷媒は、各室内熱交換器５１において、冷房運転時は室内ファン５２によって加熱源として供給される室内空気と熱交換を行って蒸発する。これにより、室内熱交換器５１を通過する空気は冷却され、室内の冷房が行われる。各室内熱交換器５１において蒸発した低圧のガス冷媒は、合流し、ガス冷媒連絡管５を通じて、室外ユニット２に送られる。
【００７３】
室外ユニット２に送られた低圧のガス冷媒は、ガス側閉鎖弁１４、四路切換弁１０およびアキュムレータ７を通じて、再び、圧縮機８に吸入される。冷房運転では、以上のようにして、冷媒が冷媒回路６を循環する。
【００７４】
（８−２）暖房運転
暖房運転時には、室外熱交換器１１が冷媒の蒸発器となり室内熱交換器５１が冷媒の放熱器となるように、四路切換弁１０の接続状態が切り換えられる（図１の破線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、各室内ユニット３に送られる。
【００７５】
高圧のガス冷媒は、各室内熱交換器５１において、室内ファン５２によって冷却源として供給される室内空気と熱交換を行って放熱して、高圧の液冷媒になる。これにより、室内熱交換器５１を通過する空気は加熱され、室内の暖房が行われる。各室内熱交換器５１で放熱した高圧の液冷媒は、合流し、液冷媒連絡管４を通じて、室外ユニット２に送られる。
【００７６】
室外ユニット２に送られた高圧の液冷媒は、液側閉鎖弁１３を通じて、室外膨張弁１２において冷凍サイクルの低圧まで減圧され、低圧の気液二相状態の冷媒になる。室外膨張弁１２で減圧された低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。この低圧のガス冷媒は、四路切換弁１０およびアキュムレータ７を通じて、再び、圧縮機８に吸入される。暖房運転では、以上のようにして、冷媒が冷媒回路６を循環する。
【００７７】
（９）ＬＥＤおよびブザーの制御
図７に、ＬＥＤ６１およびブザー６３の制御フローチャートを示す。
【００７８】
ここでは、各室内ユニット３と、当該室内ユニット３に直接接続された発光ユニット９との間で行われるＬＥＤ６１とブザー６３の制御について説明する。以下では、各室内ユニット３が備える室内制御部７３の処理を主に説明するが、複数の室内ユニット３に対応するように設けられている各室内制御部７３のそれぞれが同様の処理を行うこととなる。
【００７９】
ステップＳ１０では、室内制御部７３が所定の時間条件を満たしているか否かを判断する。当該所定の時間条件としては、特に限定されないが、例えば、一日のうちの所定の時間帯であることという条件とすることができ、室内制御部７３が有するメモリ等に予め格納されている。なお、ユーザは、リモコン７４の入力部７４ｂを介して当該所定の時間条件を設定することが可能となっている。これにより、ＬＥＤ６１の点灯やブザー６３からの警告音の出力を、特定の時間帯に限って行わせること等が可能となり、当該特定の時間帯における防犯効果が得られる。ここで、所定の時間条件を満たすと判断した場合にはステップＳ１１に移行し、所定の時間条件を満たさないと判断した場合にはステップＳ１０を繰り返す。
【００８０】
ステップＳ１１では、室内制御部７３は、自身が光源用電気配線７８を介して接続されている光源基板６０ａから照度センサ６２が検知した照度値を把握し、当該照度値を所定照度と比較することで、予め定めた所定照度以下であるか否かを判断する。所定照度以下（暗い）と判断した場合にはステップＳ１２に移行し、所定照度以下ではない（暗くはない）と判断した場合にはステップＳ１０を繰り返す。
【００８１】
ステップＳ１２では、室内制御部７３は、自身が人検知用電気配線７９を介して接続されている人検知センサ６４からの検知信号を受信することで、当該人検知センサ６４の検知対象エリアにおける人の存在の有無を判断する。なお、各発光ユニット９が備える人検知センサ６４の検知対象エリアは互いの重なりが小さくなるように設けられている。人が存在すると判断した場合にはステップＳ１３に移行し、人が存在しないと判断した場合にはステップＳ１０に戻る。
【００８２】
ステップＳ１３では、室内制御部７３は、制御時の発光条件（ステップＳ１０〜１２）を満たすと判断し、ＬＥＤ６１を発光させるための信号及びブザー６３に警告音を出させるための信号を送信する。具体的には、室内制御部７３は、自身が光源用電気配線７８を介して接続されている光源基板６０ａに向けて、ＬＥＤ６１を発光させるための制御信号を光源用電気配線７８を介して送信し、ブザー６３に警告音を出させるように制御信号を光源用電気配線７８を介して送信する。これにより、当該制御信号を受信した光源基板６０ａが、ＬＥＤ６１を発光させ、ブザー６３に警告音を出させるように、ＬＥＤ６１およびブザー６３を制御する。
【００８３】
ステップＳ１４では、室内制御部７３は、自身が光源用電気配線７８を介して接続されている光源基板６０ａに実装された照度センサ６２が検知する照度が変化したか否かを判断する。具体的には、室内制御部７３は、ステップＳ１３においてＬＥＤ６１を発光させるための制御信号を送信する前と後とで照度センサ６２が検知する照度が変化したか否かを判断する。ここで、照度センサ６２が検知する照度が変化したと判断した場合にはステップＳ１６に移行し、変化していないと判断した場合にはステップＳ１５に移行する。
【００８４】
ステップＳ１５では、室内制御部７３は、ＬＥＤ６１が異常であると判断し、リモコン７４のディスプレイ７４ｃに対して、ＬＥＤ６１が異常であることを示す所定の異常コードを、当該ＬＥＤ６１の設けられている発光ユニット９を特定しながら、表示出力させる。
【００８５】
ステップＳ１６では、室内制御部７３は、ＬＥＤ６１を発光させ、ブザー６３に警告音を出させるように制御信号を送信してから所定時間が経過したか否かを判断する。ここで、所定時間としては特に限定されないが、例えば、１分以上５分未満の所定の時間長さとすることができる。所定時間が経過したと判断した場合にはステップＳ１７に移行し、所定時間が経過していないと判断した場合には所定時間が経過するまでＬＥＤ６１の発光およびブザー６３からの警告音の出力を続ける。
【００８６】
ステップＳ１７では、室内制御部７３は、ＬＥＤ６１の発光を停止させ、ブザー６３から警告音も止めて、ステップＳ１０に戻り、上記処理を繰り返す。
【００８７】
（１０）発光ユニットにおける連動制御
図８に、複数の室内ユニット３と、各室内ユニット３に対して接続された発光ユニット９と、の対象空間の天井等における配置例を示す。
【００８８】
以下では、複数の室内ユニット３について、説明の便宜上、室内ユニット３Ａ〜Ｉと区別して説明し、複数の発光ユニット９についても同様に、発光ユニット９Ａ〜Ｉと区別して説明する。また、光源用電気配線７８および人検知用電気配線７９についても同様に、各光源用電気配線７８を光源用電気配線７８ａ〜ｉと区別し、各人検知用電気配線７９を人検知用電気配線７９ａ〜ｉと区別して説明する。
【００８９】
本実施形態では、室内ユニット３Ａ〜Ｉは、対象空間の天井等において、所定の間隔をあけて配置されている。そして、各室内ユニット３Ａ〜Ｉに接続された発光ユニット９Ａ〜Ｉも、室内ユニット３Ａ〜Ｉの間隔と同程度の間隔で、対象空間の天井等に配置されている。ここで、室内ユニット３Ａ〜Ｉ（の各室内制御部７３）は、有線である室内通信線７７を介して互いに接続されている。また、各室内ユニット３Ａ〜Ｉ（の各室内制御部７３）と、各発光ユニット９Ａ〜Ｉは、光源用電気配線７８ａ〜ｉおよび人検知用電気配線７９ａ〜ｉを介して接続されている。ここで、対応するアルファベットの添え字を付して説明している関係にある室内ユニット３Ａ〜Ｉと発光ユニット９Ａ〜Ｉとは、互いに最も近い配置関係にある（すなわち、発光ユニット９「Ａ」の最も近くに配置された室内ユニット３は室内ユニット３「Ａ」である。）。そして、図８に示すように、対応するアルファベットの添え字が付された室内ユニット３Ａ〜Ｉと発光ユニット９Ａ〜Ｉとは、当該対応する添え字の空間Ａ〜Ｉを対象として、空調、発光、検知等を行うものとする。
【００９０】
上記ＬＥＤ６１およびブザー６３の制御では、１つの発光ユニット９に着目した制御内容を説明したが、本空調発光システム１００では、ある発光ユニット９の制御に連動させた他の発光ユニット９の制御が可能であり、上記ＬＥＤ６１およびブザー６３の制御と以下に述べる連動させた制御とが同時進行で処理される。なお、この連動させた制御については、例えば、ユーザの希望により、実行される状態と実行されない状態とを切り換えることができるように、空調発光システム１００が構成されていてもよい。
【００９１】
具体的には、図９に説明するフローチャートに従って、所定の条件を満たした場合には、発光ユニット９Ａ〜Ｉのうち人を検知してＬＥＤ６１を発光させる発光ユニット９（例えば、発光ユニット９Ａ）に隣接して配置された他の発光ユニット９（例えば、発光ユニット９Ｂ、Ｄ、Ｅ）のＬＥＤ６１についても、連動して発光させる処理が行われる。以下では、室内ユニット３Ａの室内制御部７３が処理判断する場合について説明するが、他の室内ユニット３Ｂ〜Ｉの室内制御部７３についても同様である。
【００９２】
ステップＳ２０では、上記ステップＳ１０と同様に、室内ユニット３Ａの室内制御部７３が所定の時間条件を満たしているか否かを判断する。ここで、所定の時間条件を満たさないと判断した場合、すなわち、所定の時間条件を満たさないような特定の防犯対策の時間帯以外の時間帯である場合等には、ステップＳ２１に移行し、所定の時間条件を満たすと判断した場合にはステップＳ２０を繰り返す。
【００９３】
ステップＳ２１では、室内ユニット３Ａの室内制御部７３が、自身が光源用電気配線７８を介して接続されている発光ユニット９Ａの光源基板６０ａに実装された照度センサ６２の検知照度が予め定めた所定照度以下であるか否かを判断する。これにより、空間Ａにおける照度が判断されることになる。所定照度以下（暗い）と判断した場合にはステップＳ２２に移行し、所定照度以下ではない（暗くはない）と判断した場合にはステップＳ２０を繰り返す。
【００９４】
ステップＳ２２では、室内ユニット３Ａの室内制御部７３が、自身が人検知用電気配線７９を介して接続されている発光ユニット９Ａの人検知センサ６４が人の存在を検知しているか否かを判断する。これにより、空間Ａにおける人の在不在が判断されることになる。当該対応する発光ユニット９Ａの人検知センサ６４が人を検知している場合にはステップＳ２３に移行し、人を検知していない場合にはステップＳ２０に戻る。
【００９５】
ステップＳ２３では、室内ユニット３Ａの室内制御部７３は、自身が光源用電気配線７８を介して接続されている発光ユニット９Ａの光源基板６０ａに実装されたＬＥＤ６１について、発光条件を満たしたと判断し、当該ＬＥＤ６１を発光させるための信号を送信することで、光源基板６０ａに当該ＬＥＤ６１を発光させる。
【００９６】
ステップＳ２４では、室内ユニット３Ａの室内制御部７３は、リモコン７４のリモコンメモリ７４ｄに格納された各室内ユニット３Ａ〜Ｉの位置情報を参照し、所定の隣接条件を満たす空間Ｂ、Ｄ、Ｅに位置する室内ユニット３Ｂ、３Ｄ、３Ｅの各室内制御部７３に対して、隣接条件を満たしていることを知らせる信号を送信する。これにより、当該信号を受信した室内ユニット３Ｂ、３Ｄ、３Ｅの各室内制御部７３は、各自が接続されている発光ユニット９Ｂ、９Ｄ、９Ｅが有する各ＬＥＤ６１を強制的に発光させる（すなわち、室内ユニット３Ｂ、３Ｄ、３Ｅの各室内制御部７３が、発光条件（所定の時間条件を満たし、所定照度以下であり、人の存在を検知したこと）を満たしていないと判断している場合であっても、強制的に発光させる）。なお、当該所定の隣接条件は、特に限定されないが、リモコン７４のリモコンメモリ７４ｄにおいて格納しておいてもよい。
【００９７】
ステップＳ２５では、室内ユニット３Ａの室内制御部７３は、ステップＳ２３においてＬＥＤ６１を発光させてから所定時間が経過したか否かを判断する。ここで、所定時間が経過している場合にはステップＳ２５に移行し、所定時間が経過していない場合にはステップＳ２５を繰り返す。
【００９８】
ステップＳ２６では、室内ユニット３Ａの室内制御部７３は、ステップＳ２３で発光させたＬＥＤ６１の発光を停止させる信号を発光ユニット９Ａの光源基板６０ａに送って、当該ＬＥＤ６１の発光を停止させる。さらに、室内ユニット３Ａの室内制御部７３は、ステップ２４で隣接条件を満たしていることを知らせる信号を送信した空間Ｂ、Ｄ、Ｅに位置する室内ユニット３Ｂ、３Ｄ、３Ｅの各室内制御部７３に対して、各ＬＥＤ６１の発光を停止させる信号を送信し、各ＬＥＤ６１の発光を停止させ、ステップＳ２０に戻って処理を繰り返す。
【００９９】
（１１）特徴
（１１−１）
本実施形態の空調発光システム１００では、互いに有線である室内通信線７７によって通信可能に接続された複数の室内ユニット３のそれぞれに対して、発光ユニット９が、有線である通信線を含む光源用電気配線７８を介して接続されている。このため、複数の発光ユニット９同士が通信線で接続されていない場合であっても、複数の発光ユニット９を制御することが可能になっている。すなわち、本実施形態の空調発光システム１００では、複数の発光ユニット９同士を接続する通信線等を設ける必要が無く、複数の発光ユニット９を制御するために、複数の室内ユニット３のネットワークを流用することが可能になっている。
【０１００】
（１１−２）
本実施形態の空調発光システム１００では、電力供給源と接続された各室内ユニット３の室内制御部７３それぞれに対して、発光ユニット９が、電源供給線を含む光源用電気配線７８を介して接続されている。このため、複数の発光ユニット９は、自身から遠く離れて電気供給源が位置する場合に当該電気供給源と電気配線を介した接続を行わなくても、比較的近くに位置する室内ユニット３の室内制御部７３から電力の供給を受けることが可能になっている。
【０１０１】
（１１−３）
本実施形態の空調発光システム１００では、複数の発光ユニット９が、複数の室内ユニット３同士を接続する室内通信線７７のネットワークを介して接続されていることで、複数の発光ユニット９を連動させて制御することが可能になっている。
【０１０２】
（１２）変形例
（１２−１）変形例Ａ
上記実施形態では、集合ユニット６０および人検知センサ６４が別体であり、それぞれ、通信線および電源供給線（光源用電気配線７８、人検知用電気配線７９）を介して室内制御部７３と接続されている場合について例に挙げて説明した。
【０１０３】
しかし、図１０に示すように、ＬＥＤ６１と、照度センサ６２と、ブザー６３と、人検知センサ６４と、が同一の制御基板である光源基板１６０ａに実装されており、当該光源基板１６０ａと室内制御部７３とが、通信線および電源供給線（光源用電気配線７８）を介して接続されていてもよい。
【０１０４】
（１２−２）変形例Ｂ
上記実施形態では、ＬＥＤ６１やブザー６３の制御を室内制御部７３が主体となって行う場合を例に挙げて説明した。
【０１０５】
しかし、集合ユニット６０としては、照度センサ６２の検知照度を自ら判断することで、自らＬＥＤ６１やブザー６３の制御を行うようにしてもよい。
【０１０６】
また、例えば、変形例Ａに記載の光源基板１６０ａのように、ＬＥＤ６１と、照度センサ６２と、ブザー６３と、人検知センサ６４と、が同一の制御基板である光源基板１６０ａに実装されている場合には、発光ユニット９の光源基板１６０ａ自身が、照度センサ６２および人検知センサ６４からの検知結果を用いてＬＥＤ６１やブザー６３の制御を行うようにしてもよい。
【０１０７】
（１２−３）変形例Ｃ
上記実施形態では、室内制御部７３が主体となって発光ユニット９の連動制御を行う場合を例に挙げて説明した。
【０１０８】
これに対して、例えば、変形例Ａに記載の光源基板１６０ａのように、ＬＥＤ６１と、照度センサ６２と、ブザー６３と、人検知センサ６４と、が同一の制御基板である光源基板１６０ａに実装されている場合には、発光ユニット９の光源基板１６０ａ自身が、上記実施形態で説明した連動制御の主体となってもよい。すなわち、発光ユニット９の光源基板１６０ａが、自身に実装されたＬＥＤ６１の発光制御を行うとともに、他の発光ユニット９のＬＥＤ６１を連動させて発光させる制御指令を、光源用電気配線７８を介して直接接続された室内ユニット３を介し、さらに室内通信線７７、他の室内ユニット３およびこれに接続された光源用電気配線７８を介するように送信することで、周囲の発光ユニット９のＬＥＤ６１を発光させるようにしてもよい。
【０１０９】
（１２−４）変形例Ｄ
上記実施形態では、複数の発光ユニット９がいずれも同様の構成である場合を例に挙げて説明した。
【０１１０】
これに対して、複数の発光ユニット９は、特定の発光ユニット９を親機（親発光ユニット）とし、他の発光ユニット９を子機（子発光ユニット）として設定することが可能なように構成されていてもよい。当該親機および子機の設定は、特に限定されないが、例えば、リモコン７４の入力部７４ｂを介して行うようにしてもよい。
【０１１１】
ここで、例えば、親機である親発光ユニット９が、自身が有する照度センサ６２や人検知センサ６４の検知結果だけでなく、他の子機である子発光ユニット９が有する照度センサ６２や人検知センサ６４の検知結果を通信により全て把握し、これらの情報を総合して用いて親発光ユニット９および他の子発光ユニット９のＬＥＤ６１やブザー６３の制御を行うようにしてもよい。このような情報を総合した発光ユニット９の制御としては、特に限定されず、例えば、人を検知した人検知センサ６４を有する発光ユニット９が所定数以上存在した場合には、全ての発光ユニット９のＬＥＤ６１を点灯させる等の制御が考えられる。このような親機である発光ユニット９による制御を行う場合であっても、各発光ユニット９同士の通信を可能とするためのネットワークを、室内ユニット３同士のネットワークとは別に設ける必要がない。
【０１１２】
また、例えば、親発光ユニット９における設定をリモコン７４の入力部７４ｂを介して変更させた場合に、当該設定が他の子発光ユニット９にも及ぶように構成させてもよい。例えば、上記実施形態のＬＥＤ６１およびブザー６３の制御におけるステップＳ１０で説明した所定の時間条件の設定に関し、親発光ユニット９の所定の時間条件の設定が他の子発光ユニット９に及ぶように構成してもよい。
【０１１３】
（１２−５）変形例Ｅ
上記実施形態では、１つの室内ユニット３に対して１つの発光ユニット９が光源用電気配線７８を介して接続されている場合を例に挙げて説明した。
【０１１４】
これに対して、１つの室内ユニット３に対して複数の発光ユニット９が光源用電気配線７８を介して接続されていてもよいし、複数の室内ユニット３に対して１つの発光ユニット９が光源用電気配線７８を介して接続されていてもよい。
【０１１５】
（１２−６）変形例Ｆ
上記実施形態では、複数の室内ユニット３同士が、有線である室内通信線７７を介して通信可能に接続されている場合を例に挙げて説明した。
【０１１６】
これに対して、複数の室内ユニット３同士を通信可能に接続する手段としては、有線を介した通信に限られず、例えば、複数の室内ユニット３同士が無線により通信可能に接続されていてもよい。ここで、複数の室内ユニット３同士を接続する無線通信としては、例えば、赤外線通信、Ｂｌｕｅｔｏｏｔｈ（登録商標）を用いた通信、Ｗｉ−Ｆｉを用いた通信等が挙げられる。
【０１１７】
（１２−７）変形例Ｇ
上記実施形態では、室内ユニット３と発光ユニット９とが、有線である光源用電気配線７８を介して通信可能に接続されている場合を例に挙げて説明した。
【０１１８】
これに対して、室内ユニット３と発光ユニット９とを通信可能に接続する手段としては、有線を介した通信に限られず、例えば、室内ユニット３と発光ユニット９とは無線により通信可能に接続されていてもよい。ここで、室内ユニット３と発光ユニット９とを接続する無線通信としては、例えば、赤外線通信、Ｂｌｕｅｔｏｏｔｈ（登録商標）を用いた通信、Ｗｉ−Ｆｉを用いた通信等が挙げられる。互いに無線通信を行う室内ユニット３と発光ユニット９の組合せは、例えば、リモコンメモリ７４ｄに格納しておき、連動制御に用いるようにしてもよい。このように室内ユニット３と発光ユニット９が無線により通信可能に接続される場合であっても、互いに無線により接続される室内ユニット３と発光ユニット９とは、最寄りの位置関係であること（発光ユニット９が最寄りの室内ユニット３と無線接続されること）が好ましい。
【０１１９】
また、上述のように、各室内ユニット３と各発光ユニット９が無線により通信可能に接続される場合において、上述の変形例Ｄにおいて説明したように、複数の発光ユニット９は、親発光ユニットと子発光ユニットを含んで構成されていてもよい。この場合には、親発光ユニットは、自身が無線接続されている室内ユニット３を介して、各室内ユニット３間の通信手段（有線無線を問わない）を利用し、特定の室内ユニット３に対して無線接続されている子発光ユニットに向けて発光制御等の指示をするようにしてもよい。
【０１２０】
なお、上述のように、室内ユニット３と発光ユニット９が無線により通信可能に接続される場合には、上記実施形態における光源用電気配線７８のうちの電源供給線を不要として室内ユニット３から電源供給を受けない構成としつつ、発光ユニット９が電源として電池を有していてもよい。このような電池としては、充電池や乾電池が挙げられる。
【０１２１】
（１２−８）変形例Ｈ
上記実施形態では、複数の発光ユニット９同士は、互いに直接通信できない（室内ユニット３や室内通信線７７または室内ユニット３間の無線通信を介さなければ通信できない）ように構成されている空調発光システム１００を例に挙げて説明した。
【０１２２】
これに対して、例えば、複数の発光ユニット９同士は、室内ユニット３や室内通信線７７等を介した通信が可能なだけでなく、さらに、室内ユニット３や室内通信線７７を介することなく直接互いに通信ができるように構成されていてもよい。すなわち、複数の発光ユニット９同士が、互いに有線を介して接続されることで通信可能となっていてもよいし、互いに無線（第３通信手段）を介して接続されることで通信可能となっていてもよい。
【０１２３】
また、複数の発光ユニット９同士が無線通信可能に接続されている場合において、上述の変形例Ｄにおいて説明したように、複数の発光ユニット９は、親発光ユニットと子発光ユニットを含んで構成されていてもよい。この場合には、親発光ユニットは、室内ユニット３や室内通信線７７を介することなく、無線通信可能に接続されている複数の子発光ユニットに対して、無線により発光制御等の指示をすることができる。例えば、発光条件（所定の時間条件を満たし、所定照度以下であり、人の存在を検知したこと）を満たしたと判断した室内制御部７３等から発光制御等の指示を受けた発光ユニットを、親発光ユニットとして機能させることで、子発光ユニットに対して無線により発光制御等の指示が出されるようにしてもよい。
【０１２４】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【０１２５】
１  空気調和装置
２  室外ユニット
３  室内ユニット（空調ユニット）
９  発光ユニット
１１  室外熱交換器
３０  室内ケーシング
３５  化粧パネル
５１  室内熱交換器
６０  集合ユニット
６０ａ  光源基板（制御部）
６１  ＬＥＤ
６２  照度センサ
６３  ブザー
６４  人検知センサ
７０  制御部
７２  室外制御部
７３  室内制御部（制御部）
７４  リモコン
７４ａ  リモコン基板
７４ｃ  ディスプレイ
７７  室内通信線（第１通信手段）
７８  光源用電気配線
７８ａ〜ｉ  第１〜第６光源用電気配線
７９  人検知用電気配線
７９ａ〜ｉ  第１〜第６人検知用電気配線（第２通信手段）
８１  レンズ部人検知用開口
８２  中央開口
８４  下部人検知用開口
８５  発光用開口
８５ａ  発光経路面
９０  ユニットケーシング
９０ａ  カバーレンズ
９０ｂ  下部ケーシング
９０ｃ  上部ケーシング
９１  配線用開口
１００  空調発光システム
１６０ａ  光源基板（制御部）
【先行技術文献】
【特許文献】
【０１２６】
【特許文献１】特開２０１２−２８０１５号公報
【図１】
2019151047.tif 000003
【図２】
2019151047.tif 000004
【図３】
2019151047.tif 000005
【図４】
2019151047.tif 000006
【図５】
2019151047.tif 000007
【図６】
2019151047.tif 000008
【図７】
2019151047.tif 000009
【図８】
2019151047.tif 000010
【図９】
2019151047.tif 000011
【図１０】
2019151047.tif 000012
【国際調査報告】
2019151047.tif 000013
2019151047.tif 000014